(57)【特許請求の範囲】
【請求項１】
自動モードを備えた車両のシフト装置において、
操作媒体であるマウス型のシフターと、表示器とを備え、
前記自動モードのとき、前記表示器に前記シフターを自車に見立てた表示を行う表示制御手段を備えた
ことを特徴とするシフト装置。
【請求項２】
前記シフターは前後方向に操作可能であり、
前記表示制御手段は、前記自動モードのとき、前記シフターを前方に向けて操作した場合に車両速度がアップされることを連想させる表示を行うとともに、前記シフターを後方に向けて操作した場合に車両速度がダウンされることを連想させる表示を行う
請求項１に記載のシフト装置。
【請求項３】
前記シフターは左右方向に操作可能であり、
前記表示制御手段は、前記自動モードのとき、前後方向に延びる２本以上の車線を左右方向に並べて表示するとともに、自車に見立てた前記シフターを前記２本以上の車線のうち走行車線に配置しつつ、前記シフターを左方に向けて操作した場合に左車線に車線変更されることを連想させる表示を行うとともに、前記シフターを右方に向けて操作した場合に右車線に車線変更されることを連想させる表示を行う
請求項１又は２に記載のシフト装置。
【発明の詳細な説明】
【技術分野】
【０００１】
本発明は、自動モードを備えた車両のシフト装置に関する。
【背景技術】
【０００２】
特許文献１には、運転中の車両の速度を、アクセルペダルを踏むことなく一定に維持する機能、いわゆるクルーズコントロール機能を備えた車両のシフト装置が開示されている。上記機能による自動モードの発展型として、先行車との車間距離をレーダー等で測距し、自動的に速度を調節して追随する機能、いわゆるアダプティブクルーズコントロール（ＡＣＣ）機能を備えた車両も開発されている。
【先行技術文献】
【特許文献】
【０００３】
【特許文献１】特開２００７−１６１１８８号公報
【発明の概要】
【発明が解決しようとする課題】
【０００４】
自動運転車両において、ドライバーがステアリングから手を離す状態を想定したとき、ステアリングは自動操舵状態で回転動作することになる。この場合、ステアリング或いはその周辺のレバーに設けられたスイッチの操作を通じて車両速度或いは走行車線の変更を行うのでは、操作性がよいとはいえない。
【０００５】
本発明は、このような問題点に着目してなされたものであって、その目的は、自動モード時の操作性を向上することを可能にしたシフト装置を提供することにある。
【課題を解決するための手段】
【０００６】
上記課題を解決するシフト装置は、自動モードを備えた車両のシフト装置において、操作媒体であるマウス型のシフターと、表示器とを備え、前記自動モードのとき、前記表示器に前記シフターを自車に見立てた表示を行う表示制御手段を備えたことをその要旨としている。
【０００７】
この構成によれば、自動モード時には、マウス型のシフター（操作媒体）が自車に見立てられる。これにより、自車に必要なシフト操作を直感的にイメージできるようになる。したがって、自動モード時の操作性を向上できる。
【０００８】
上記シフト装置について、前記シフターは前後方向に操作可能であり、前記表示制御手段は、前記自動モードのとき、前記シフターを前方に向けて操作した場合に車両速度がアップされることを連想させる表示を行うとともに、前記シフターを後方に向けて操作した場合に車両速度がダウンされることを連想させる表示を行うこととしてもよい。
【０００９】
この構成によれば、自動モード時には、シフターを前後方向に操作することで車両速度の変更が可能であることを前提に、それを直感的にイメージできるようになる。したがって、車両速度変更時の操作性を向上できる。
【００１０】
上記シフト装置について、前記シフターは左右方向に操作可能であり、前記表示制御手段は、前記自動モードのとき、前後方向に延びる２本以上の車線を左右方向に並べて表示するとともに、自車に見立てた前記シフターを前記２本以上の車線のうち走行車線に配置しつつ、前記シフターを左方に向けて操作した場合に左車線に車線変更されることを連想させる表示を行うとともに、前記シフターを右方に向けて操作した場合に右車線に車線変更されることを連想させる表示を行うこととしてもよい。
【００１１】
この構成によれば、自動モード時には、シフターを左右方向に操作することで走行車線の変更が可能であることを前提に、それを直感的にイメージできるようになる。したがって、車線変更時の操作性を向上できる。
【発明の効果】
【００１２】
本発明によれば、自動モード時の操作性を向上できる。
【図面の簡単な説明】
【００１３】
【図１】自動運転モードを備えた車両のシフト装置を示す構成図。
【図２】（ａ）は手動運転モード時の表示内容を示す図、（ｂ）は自動運転モード時の表示内容を示す図。
【発明を実施するための形態】
【００１４】
以下、シフト装置の一実施の形態について説明する。
図１に示すように、シフト装置１は、自動運転モードを備えた車両に搭載され、操作媒体であるマウス型のシフター２と、ディスプレイ、ＬＥＤ照明或いはプロジェクタ等による表示器３とを備える。表示器３は、表示制御手段であるＥＣＵ（electronic control unit ）４の制御を受けて、運転モードに応じた表示を行う。運転モードには、自動操舵及び制動及び加速が一括設定される自動運転モードの他、操舵及び制動及び加速がそれぞれ手動による手動運転モードが含まれる。
【００１５】
シフター２は前後左右の各方向に操作可能であり、手動運転モードにおいて、駐車（Ｐ）ポジション、後進（Ｒ）ポジション、中立（Ｎ）ポジション、前進（Ｄ）ポジションの他、自動走行（ＡＰ）ポジションを選択可能である。手動運転モードでは、各機能ポジションを示すシンボル（Ｐ、Ｒ、Ｎ、Ｄ、ＡＰ）が表示器３に表示される。そして、実際に選択された機能ポジションを示すシンボルが他のシンボルに比べて修飾表示され、また、シフター２の上面中央には当該選択された機能ポジションを示すシンボルがシフター２の右横のシンボルよりも大きな文字で且つ修飾を伴って表示される。これにより、選択状態の機能ポジションを示すシンボルが強調表示される。尚、図の例では、前進（Ｄ）ポジションが選択されている。
【００１６】
そして、前進（Ｄ）ポジションの選択状態からシフター２を右方に向けて操作すると、自動走行（ＡＰ）ポジションの選択状態となり、このとき、「Ｄ」のシンボルに代わって「ＡＰ」のシンボルが強調表示される。自動走行（ＡＰ）ポジションを選択すると、自動運転モードに移行し、自動操舵及び制動及び加速が一括設定される。これにより、ステアリング及びブレーキペダル及びアクセルペダルの操作を必要としない自動運転が可能になる。
【００１７】
自動運転モードでは、シフター２を自車に見立てた表示（詳細は後述する）が行われる。そして、自動運転モードでブレーキペダル或いはステアリングを操作すると、自動運転モードがキャンセルされ、手動運転モードに移行する。
【００１８】
次に、シフト装置１の作用について説明する。
図２（ａ）に示すように、手動運転モードにおいて、前進（Ｄ）ポジションの選択状態から自動走行（ＡＰ）ポジションを選択すると、自動運転モード（ＡＰモード）に設定される。
【００１９】
図２（ｂ）に示すように、自動運転モードのとき、表示器３には、前後方向に延びる３本の車線が左右方向に並ぶように表示されるとともに、自車に見立てられたシフター２が当該３本の車線のうち中央の車線に配置される。また、シフター２の上面中央には、当該シフター２を前後左右の各方向に操作可能であることを示唆する合計４つの二等辺三角印のシンボルが、それぞれの頂点を各方向に向けて表示される。
【００２０】
本例では、シフター２が自車に見立てられているので、頂点が前方を向く二等辺三角印のシンボルに倣い、シフター２を前方に向かって操作すれば、自車が今よりも速く進むこと、つまり車両速度がアップされることが連想される。そして、実際にシフター２を前方に向かって操作すると、１回の操作の度に、ＡＣＣ機能の設定速度が時速５キロメートルだけアップされる。
【００２１】
同様に、頂点が後方を向く二等辺三角印のシンボルに倣い、シフター２を後方に向かって操作すれば、自車が今よりも遅く進むこと、つまり車両速度がダウンされることが連想される。そして、実際にシフター２を後方に向かって操作すると、１回の操作の度に、ＡＣＣ機能の設定速度が時速５キロメートルだけダウンされる。
【００２２】
また、頂点が左方を向く二等辺三角印のシンボルに倣い、シフター２を左方に向かって操作すれば、自車が今よりも左側の車線を走行すること、つまり左車線に車線変更されることが連想される。そして、実際にシフター２を左方に向かって操作すると、１回の操作の度に、左隣の車線への自動車線変更設定が行われる。
【００２３】
同様に、頂点が右方を向く二等辺三角印のシンボルに倣い、シフター２を右方に向かって操作すれば、自車が今よりも右側の車線を走行すること、つまり右車線に車線変更されることが連想される。そして、実際にシフター２を右方に向かって操作すると、１回の操作の度に、右隣の車線への自動車線変更設定が行われる。
【００２４】
尚、自動運転モードでブレーキペダル或いはステアリングを操作すると、自動運転モードがキャンセルされ、このとき、図２（ａ）に示す手動運転モードの表示に戻る。
以上説明したように、本実施の形態によれば、以下の効果を奏することができる。
【００２５】
（１）自動運転モード時には、マウス型のシフター２（操作媒体）が自車に見立てられる。これにより、自車に必要なシフト操作を直感的にイメージできるようになる。したがって、自動運転モード時の操作性を向上できる。
【００２６】
（２）自動運転モード時には、シフター２を前後方向に操作することで車両速度の変更が可能であることを前提に、それを直感的にイメージできるようになる。したがって、車両速度変更時の操作性を向上できる。
【００２７】
（３）自動運転モード時には、シフター２を左右方向に操作することで走行車線の変更が可能であることを前提に、それを直感的にイメージできるようになる。したがって、車線変更時の操作性を向上できる。
【００２８】
（４）手動運転モードで自動走行（ＡＰ）ポジションを選択することで、自動運転モードに切り替えることができる。
（５）自動運転モードでブレーキペダル或いはステアリングを操作すると、自動運転モードがキャンセルされる。したがって、ドライバーの意志を的確に運転モードに反映できる。
【００２９】
（６）運転モードに応じた表示制御が行われる。したがって、車両の機能に詳しくないユーザーでも簡単に操作できる。
（７）ステアリングが自動操舵状態で回転動作する場合でも、シフター２を操作することで自動運転モード時の設定変更を簡単に行える。
【００３０】
（８）手動運転モード時には、従来と同様のシフトパターンによる表示が行われる。したがって、従来通りの入力操作により機能ポジションを選択できる。
尚、上記実施の形態は、次のように変更して具体化することも可能である。
【００３１】
・上記実施の形態では、左車線への車線変更と右車線への車線変更が共に可能な場合を想定した。これに代えて、表示器３に２本の車線を表示するとともに、自車に見立てたシフター２を２本の車線のうち走行車線に配置しつつ、左右いずれかへの車線変更が可能であることを連想させる表示を行ってもよい。
【００３２】
・ナビゲーションの情報やカメラの情報によって周囲の情報を取得し、周囲の情報に合わせて、例えば１車線しかない場合には、車線変更ができないことを連想させる表示を行ってもよい。この場合、シフター２の上面中央には、当該シフター２を前後の各方向に操作可能であることを示唆する合計２つの二等辺三角印のシンボルが、それぞれの頂点を各方向に向けて表示されることになる。
【００３３】
・二等辺三角印のシンボルに代えて、シフター２を操作可能な方向を向く矢印のシンボルを表示してもよい。
・車両速度のアップ／ダウンをシフター２の操作回数に代えて操作時間により設定できるようにしてもよい。
【００３４】
・シフター２の前後方向への操作を、先行車との車間距離の設定に割り当ててもよい。この場合、シフター２を前方に向けて操作した場合に車間距離が縮まることを連想させるべく、例えば上記実施の形態と同様の表示を行うとともに、シフター２を後方に向けて操作した場合に車間距離が広がることを連想させるべく、例えば上記実施の形態と同様の表示を行う。
【００３５】
・自動モードとして自動駐車モードを備えた車両のシフト装置に本発明を適用してもよい。
次に、上記実施の形態及び別例から把握できる技術的思想について記載する。
【００３６】
（イ）シフト装置において、前記表示制御手段は、前記自動モードでブレーキペダル或いはステアリングが操作されたことを契機に、手動モードの表示を行うこと。
（ロ）シフト装置において、前記手動モードの表示は、前記シフターの操作により選択可能な複数の機能ポジションを示すシンボルの表示であること。
【００３７】
（ハ）シフト装置において、前記機能ポジションは、前記自動モードへの切替ポジションを含むこと。
【符号の説明】
【００３８】
１…シフト装置、２…マウス型のシフター（操作媒体）、３…表示器、４…ＥＣＵ（表示制御手段）。
【図１】
0006533142.tif 000002
【図２】
0006533142.tif 000003